(57)【要約】【課題】低コストで簡単な構成でありながら盗難の発見と場所の特定が容易で素早い対応が可能な防犯システムを提供する。【解決手段】リーダ１とＩＣタグ２で構成し、リーダ１を内蔵する監視ステーション３をレジカウンタなど店員のいる場所に設置し、ＩＣタグ２を内蔵する監視ボックス４を展示商品５に貼り付けてリーダ１とＩＣタグ２が常時無線による交信を行い、リーダ１を介してＩＣタグ２から得られる監視情報を監視ステーション３に集約して店内の各所に分散している展示商品５を集中監視する。【選択図】図１
2010044593.tif 000002
【特許請求の範囲】
【請求項１】
リーダを内蔵する親局の監視ステーションと、
外部センサを接続したＩＣタグを内蔵する子局の監視ボックスと、
この監視ボックスに接続する電源コードと、
この監視ボックスを着脱自在に支持するホルダと、
で構成し、
この監視ボックスを展示商品に取り付けてリーダとＩＣタグが常時無線交信し、
前記リーダは、
指定したＩＣタグからの応答信号を受信する受信手段を備え、
前記ＩＣタグは、
センサ出力を含む応答信号をリーダに送信する送信手段を備え、
前記監視ステーションは、
前記リーダが応答信号に異常を検知したときはアラームを報知する報知手段と、
異常を検知したＩＣタグを識別するタグ識別情報を表示する表示手段と、
を備えることを特徴とする展示商品の盗難監視システム。
【請求項２】
前記ＩＣタグが電池を持たずに電源コードからの給電を動作電源とするアクティブタグであることを特徴とする請求項１記載の展示商品の盗難監視システム。
【請求項３】
前記センサが監視ボックスの展示商品からの引き剥がしを検知するものであることを特徴とする請求項１記載の展示商品の盗難監視システム。
【請求項４】
前記センサが監視ボックスと一体の展示商品のホルダへの着脱を検知するものであることを特徴とする請求項１記載の展示商品の盗難監視システム。
【請求項５】
前記監視ステーションにセンサが検知した展示商品のホルダへの着脱のいずれか一方をカウントしたハンドリング回数を表示する表示手段を備えることを特徴とする請求項１記載の展示商品の盗難監視システム。
【請求項６】
前記監視ボックスは一方の面を展示商品に固着し、
他方の面は基端を設置場所に固定してホルダから引き出した電源コードの先端に繋ぎ止めることを特徴とする請求項１記載の展示商品の盗難監視システム。
【請求項７】
前記電源コードは監視ボックス内で分岐して一端をＩＣタグに接続して動作電源とし、他端を監視ボックス外に引き出して展示商品に接続することを特徴とする請求項１記載の展示商品の盗難監視システム。
【請求項８】
前記ホルダと監視ボックスの少なくともいずれか一方にマグネットを取り付けて監視ボックスと一体の展示商品をホルダに磁気接着させることを特徴とする請求項１記載の展示商品の盗難監視システム。
【発明の詳細な説明】
【技術分野】
【０００１】
本発明は、店内の各所に分散している展示販売商品を集中監視して万引きなどの盗難を防止する展示商品の盗難監視システムに関する。
【背景技術】
【０００２】
携帯電話などの展示販売商品は店員がいなくても客が自由に手に取って見れるので盗難が多発し、販売店に多大な損害を与えている。
そのため多くの販売店で展示商品の盗難防止装置を導入しているが、そのうちの１つにケーブル式の盗難防止装置がある（特許文献１）。
この装置は、基端を固定したケーブルの先端にタグを接続し、タグ本体を両面シートで商品に貼り付けてケーブルの先に商品を繋ぎ止める。タグは電池で作動し、タグと商品の間にスイッチを挿入する。以上の構成で商品からタグ本体を剥がすと、スイッチがＯＮとなり、ブザーが警報を発する。また、タグ本体を商品に固定したままケーブルを切断すると、ケーブルスイッチがＯＮとなり、同様にブザーが警報を発する。
【０００３】
このケーブル式の盗難防止装置は、電池が切れると機能しないという問題の他に、警報を発する場所と盗難場所が同じなので、店員が盗難場所付近にいないと盗難の発見と場所の特定が困難で、素早い対応ができないという問題があった。
また、店内の各所に展示商品が分散している場合はなおさら盗難の発見と場所の特定が困難であった。
【０００４】
この問題を解決するために、異常検知部と無線発信部を有するタグ本体と、威嚇鳴動して展示品特定情報を表示する中央監視装置で構成する盗難防止システムが提案されている（特許文献２）。
このシステムは、薄膜導電シートと盗難防止ワイヤで通電路を形成し、タグ本体が薄膜導電シートの破断や盗難防止ワイヤの切断による通電路の断によって異常を検知し、展示品の設置場所や展示品名を認識可能な固有識別データを付して無線送信する。
これを受信した中央監視装置は、外部に鳴動するとともに、固有識別データに対応する展示品特定情報を電源異常データとともに表示する。
このシステムは、以上のようにタグ本体に無線通信手段と中央監視装置に展示品特定情報の表示手段を備えるので、システムが大掛かりとなり、導入コストも増大する。
【特許文献１】特開２０００−３０１５６号公報
【特許文献２】特開２００７−２０６８３８号公報
【発明の開示】
【発明が解決しようとする課題】
【０００５】
解決しようとする問題点は以上のような点であり、本発明は、低コストで簡単な構成でありながら盗難の発見と場所の特定が容易で素早い対応が可能な防犯システムを提供することを目的になされたものである。
【課題を解決するための手段】
【０００６】
そのため本発明は、リーダを内蔵する親局の監視ステーションと、センサを接続したＩＣタグを内蔵する子局の監視ボックスと、この監視ボックスに接続する電源コードと、この監視ボックスを着脱自在に支持するホルダとで構成し、この監視ボックスを展示商品に取り付けてリーダとＩＣタグが常時無線交信し、前記リーダは、指定したＩＣタグからの応答信号を受信する受信手段を備え、前記ＩＣタグは、センサ出力を含む応答信号をリーダに送信する送信手段を備え、前記監視ステーションは、前記リーダが応答信号に異常を検知したときはアラームを報知する報知手段と、異常を検知したＩＣタグを識別するタグ識別情報を表示する表示手段とを備えることを最も主要な特徴とする。
【発明の効果】
【０００７】
本発明は、監視ステーションにアラームを報知する報知手段とタグ識別情報を表示する表示手段を備えるので、この監視ステーションをレジカウンタなど店員のいる場所に設置することにより、盗難場所付近に店員がいなくてもアラームによる盗難の発見とタグ識別情報による場所の特定が容易になり、素早い対応が可能になる。
【発明を実施するための最良の形態】
【０００８】
以下、本発明の実施の形態について説明する。
【０００９】
図１に、本発明を実施した展示商品の盗難監視システムの構成図を示す。
展示商品の盗難監視システムは、リーダ１とＩＣタグ２で構成し、リーダ１を内蔵する監視ステーション３をレジカウンタなど店員のいる場所に設置し、ＩＣタグ２を内蔵する監視ボックス４を展示商品５に貼り付けてリーダ１とＩＣタグ２が常時無線による交信を行い、リーダ１を介してＩＣタグ２から得られる監視情報を監視ステーション３に集約して店内の各所に分散している展示商品５を集中監視する。
リーダ１は、予めＩＣタグ２に付番したタグ番号を指定してポーリングを行い、指定したタグ番号のＩＣタグ２だけが応答を許可される。これによりリーダ１とＩＣタグ２の間でアンチコリジョン（衝突防止）制御が行われる。
ポーリングは間隔を空けずに常時繰り返し行い、展示商品５の持ち去りを瞬時に検出できるようにする。
【００１０】
タグ番号は、ＩＣタグ２を個別に識別するためのもので、ユーザ側で管理し易いようにメーカ側で付与したＩＤの代わりに付番し、事前にＩＣタグ２をリーダ／ライタにかざして書き込んでおく。これにより、タグ番号からそれに対応するＩＣタグ２を内蔵する監視ボックス４を取り付けた展示商品５を特定でき、展示商品５の商品名や設置場所をタグ番号で認識できるようになる。
【００１１】
ＩＣタグ２は、図２に示すように、サーキュレータ２１を介してアンテナ２０に接続する復調回路２２、変調回路２３、クロック回路２４からなる通信部と、ＣＰＵ２５、メモリ２６からなる制御部により構成され、センサポート２７、Ａ／Ｄコンバータ２８を介して外部センサＳ１、Ｓ２に接続する。
以上のような構成で、リーダ１がＩＣタグ２に要求信号を変調して電波を発射すると、ＩＣタグ２のアンテナ２０に誘起電圧が発生する。この誘起電圧の周波数を用いてクロック回路２４がＩＣ同期用のクロックを生成する。これよりＩＣ回路にクロックが供給され、サーキュレータ２１の順方向にある復調回路２２がクロックに同期させながら要求信号を復調し、それをＣＰＵ２５が解析して要求信号に応じた応答信号を生成する。
このとき外部センサＳ１、Ｓ２から受信した出力電圧をＡ／Ｄ変換し、それを応答信号に付加する。応答信号は変調回路２３が変調してサーキュレータ２１の順方向にあるアンテナ２０を経由してリーダ１に送信する。
【００１２】
監視ステーション３は、図３に示すように、ダイポールアンテナ３０を植立し、前面にＬＥＤ電源ランプ３１、ＬＥＤ商品識別ランプ３２、ブザー停止ボタン３３、７セグメント数字表示器３４、ハンドリング回数表示ボタン３５をそれぞれ配置する。
ＬＥＤ商品識別ランプ３２は、タグ識別情報の表示媒体としてＩＣタグ２のタグ番号に対応してＬＥＤランプを配列したもので、ポーリングで指定したタグ番号のＩＣタグ２からの応答に異常を検知したときはブザーを鳴動して該当タグ番号に対応するランプを点灯する。これにより異常を検知したタグ番号を一目で認識して商品名と設置場所を特定し、直ちに対応できるようになる。タグ番号は、ＬＥＤランプの代わりに７セグメント数字表示器などで数字表示してもよい。
７セグメント数字表示器３４は、ハンドリング回数表示ボタン３５を押したときに客が展示商品５を手に取った回数を表示する。これにより展示商品５毎の注目度が分かり、販売戦略を立てる上での参考になる。このようにハンドリング回数の表示手段を備えることで、本システムを防犯以外にマーケティング情報の収集手段としても活用できる。
ハンドリング回数表示ボタン３５は、１回押す毎に７セグメント数字表示器３４の表示内容が切り替わり、タグ番号の順に該当ＩＣタグ２を取り付けた展示商品５のハンドリング回数が表示される。また、現在ハンドリング回数を表示している展示商品５のタグ番号を知らせるため、対応するＬＥＤ商品識別ランプ３２が点灯する。
【００１３】
監視ボックス４は、図４に示すように、一方の面を展示商品５の裏側に両面シートなどで固着し、他方の面は基端を設置場所に固定してホルダ７の通孔ａから引き出した電源コード６の先端に繋ぎ止める。これにより電源コード６を切断するか、監視ボックス４を引き剥がすかしない限り、展示商品５を持ち去りできないようにする。
電源コード６は、監視ボックス４内で分岐して一端をＩＣタグ２に接続して動作電源とし、他端を監視ボックス４外に引き出してコネクタ８を介して携帯電話などの展示商品５に給電する。
また、電源コード６を伸縮自在なカールコードにして展示商品５のハンドリング操作を容易にする。すなわち展示商品５を手に取るときは伸長して手元に引き寄せ易くし、元のホルダ７に戻すときは短縮して収まりを良くする。
【００１４】
本発明に用いるＩＣタグ２は、パッシブ型と比べて数m〜数十mの長距離通信が可能なアクティブ型とし、電池を持たずに電源コード６からの給電を動作電源とする。
そのため電源コード６を切断すると給電が停止し、リーダ１のポーリングに対する応答ができなくなるので、監視ステーション３側で電源コード６の切断を検知できる。
パッシブ型のＩＣタグ２を用いる場合は、アンテナを各所に設置してリーダ１とＩＣタグ２の間で数cm〜数mの短距離通信ができるようにする。また、ＩＣタグ２に別のセンサを接続して電源コード６の切断を検知する必要がある。
【００１５】
また、監視ボックス４の展示商品５側の面に、例えば光を検出するフォトセンサなどの外部センサＳ１を装着してＩＣタグ２に接続する。
これにより監視ボックス４を引き剥がすときに入る外からの光を検出し、ＩＣタグ２の応答信号にその状態を付加するので、監視ステーション３側で監視ボックス４の引き剥がしを検知できる。
【００１６】
ホルダ７は、監視ボックス４と一体の展示商品５を着脱自在に支持し、監視ボックス４の支持面にマグネット７１を取り付ける。一方の監視ボックス４側にはスチール板４１を取り付けて両者を磁気接着し、監視ボックス４と一体の展示商品５のホルダ７への取り付け・取り外しを容易にする。
また、監視ボックス４のホルダ７側の面に、例えば磁気を検出するホールセンサなどの外部センサＳ２を装着してＩＣタグ２に接続する。
これにより監視ボックス４をホルダ７のマグネットに接近・離間させたときに変化するホール電圧を検出し、ＩＣタグ２の応答信号にその状態を付加するので、監視ステーション３側で監視ボックス４と一体の展示商品５の着脱を検知できる。
【００１７】
監視ステーション３は、着脱を検知すると展示商品５をホルダ７から取り外したときを１回としてカウントし、それを展示商品５のハンドリング回数としてメモリに保存する。
ハンドリング回数は、ハンドリング回数表示ボタン３５を押すと７セグメント数字表示器３４に表示される他、ＣＳＶ形式データでパソコンに取り込むことができる。取り込みが正常に終了するとカウンタはリセットされる。
【００１８】
図５のフローチャートを参照して監視ステーション３の処理を説明する。
まず、ブザー停止ボタン３３がＯＮかどうか判定し（Ｓ０１）、ＯＮであればブザーを停止し（Ｓ０２）、ＬＥＤ商品識別ランプ３２を消灯する（Ｓ０３）。
次に、タグ番号を指定してポーリングを行い（Ｓ０４）、応答があるかどうか判定し（Ｓ０５）、応答がなければブザーを鳴動し（Ｓ０６）、該当ＬＥＤ商品識別ランプ３２を点灯し（Ｓ０７）、Ｓ０１に戻る。
次に、監視ボックス４の引き剥がしを検知する外部センサＳ１がＯＮかどうか判定し（Ｓ０８）、ＯＮであればＳ０６に移行する。
次に、展示商品５のホルダ７への着脱を検知する外部センサＳ２がＯＮかどうか判定し（Ｓ０９）、ＯＮであればメモリに記憶した前の状態がＯＮかどうか判定し（Ｓ１０）、ＯＮでなければハンドリング回数に１を加え（Ｓ１１）、前の状態をＯＮにする（Ｓ１２）。
外部センサＳ２がＯＮでなければメモリに記憶した前の状態がＯＮかどうか判定し（Ｓ１３）、ＯＮであれば前の状態をＯＦＦにする（Ｓ１４）。
次に、ハンドリング回数表示ボタン３５がＯＮかどうか判定し（Ｓ１５）、ＯＮでなければＳ０１に戻り、ＯＮであれば７セグメント数字表示器３４にハンドリング回数を表示し（Ｓ１６）、Ｓ１５に戻る。
【図面の簡単な説明】
【００１９】
【図１】本発明を実施した展示商品の盗難監視システムの構成図である。
【図２】ＩＣタグのブロック図である。
【図３】監視ステーションの正面図である。
【図４】監視ボックス、展示商品、ホルダの斜視図である。
【図５】監視ステーションの処理を説明するフローチャートである。
【符号の説明】
【００２０】
１      リーダ
２      ＩＣタグ
２０    アンテナ
２１    サーキュレータ
２２    復調回路
２３    変調回路
２４    クロック回路
２５    ＣＰＵ
２６    メモリ
２７    センサポート
２８    Ａ／Ｄコンバータ
３      監視ステーション
３０    ダイポールアンテナ
３１    ＬＥＤ電源ランプ
３２    ＬＥＤ商品識別ランプ
３３    ブザー停止ボタン
３４    ７セグメント数字表示器
３５    ハンドリング回数表示ボタン
４      監視ボックス
４１    スチール板
５      展示商品
６      電源コード
７      ホルダ
７１    マグネット
８      コネクタ
ａ      通孔
Ｓ      外部センサ
【図１】
2010044593.tif 000003
【図２】
2010044593.tif 000004
【図３】
2010044593.tif 000005
【図４】
2010044593.tif 000006
【図５】
2010044593.tif 000007